(57)【要約】【課題】この発明は、衣類等の収納物を効率的に収納することができると共に、その内部で着替えが可能な使い勝手のよいウォークインクローゼットに関する。【解決手段】本発明の実施形態に係るウォークインクローゼット１は、衣類等を収納可能な収納棚２を有し、且つ、使用者が出入り可能となっている。そして、前記使用者が衣類を着替え可能な着替えスペース３と、出入口４に設けられた扉５の内側面５ａに取付けられた前記使用者の全身を映写可能な鏡６と、全身のコーディネートの全てを係止可能なコーディネートボード７と、前記収納棚２に設けられてその内部に複数に分割された整理スペース８ａを有する整理引出８と、前記収納棚２の棚板９の縁部９ａに水平方向に設けられると共に、その使用者側が水平方向に亘って遮光された照明装置１０と、を具備するものである。【選択図】図４
2010112119.tif 000002
【特許請求の範囲】
【請求項１】
衣類等を収納可能な収納棚を有し、且つ、使用者が出入り可能なウォークインクローゼットにおいて、
前記使用者が衣類を着替え可能な着替えスペースと、
出入口に設けられた扉の内側面に取付けられた前記使用者の全身を映写可能な鏡と、
前記収納棚に設けられてその内部に複数に分割された整理スペースを有する整理引出と、
前記収納棚の棚板の縁部に水平方向に設けられると共に、その使用者側が水平方向に亘って遮光された照明装置と、
を具備することを特徴とするウォークインクローゼット。
【請求項２】
前記収納棚の幅方向にパイプハンガーが設けられると共に、当該収納棚の奥行きが４０００乃至５００ｍｍであることを特徴とする請求項１記載のウォークインクローゼット。
【請求項３】
前記収納棚が引出自在の載置板を具備することを特徴とする請求項１又は２記載のウォークインクローゼット。
【請求項４】
前記収納棚がその開口部を開閉自在な収納扉を具備すると共に、当該収納扉の外側には前記使用者の全身を映写可能な鏡が設けられることを特徴とする請求項１乃至３記載のウォークインクローゼット。
【請求項５】
請求項１乃至４記載のウォークインクローゼット内にドレッサーが設けられたことを特徴とするウォークインクローゼット。
【請求項６】
前記収納棚が立体形状を有する衣類を収納するために所定区画に区切られた浅棚収納部を具備することを特徴とする請求項１乃至５記載のウォークインクローゼット。
【請求項７】
前記１乃至６記載のウォークインクローゼットにおいて、全身のコーディネートの全てを係止可能なコーディネートボードを具備することを特徴とするウォークインクローゼット。
【発明の詳細な説明】
【技術分野】
【０００１】
この発明は、衣類等の収納物を効率的に収納することができると共に、その内部で着替えが可能な使い勝手のよいウォークインクローゼットに関する。
【背景技術】
【０００２】
従来、住宅の居室内に箪笥を設置して衣類等の収納物を収納していたが、当該居室内に箪笥を設置することで、その中にいる人に圧迫感を与えたり、また、居室内の外観を損なうという問題が生じていた。そのため、近年では、居室内に箪笥等の収納具を設置する必要がないように、衣類等を収納することができ、さらに、その内部に人も出入り可能なウォークインクローゼットが当該居室に隣接して予め設けられている。しかし、これらのウォークインクローゼットは、収納スペースが多くあるものの、外出時のコーディネートを決める場合にはその度に複数の衣類をクローゼットから取出して居室に移動させる必要がある等、使い勝手がよくないという問題があった。これらの問題を解決するために以下のようなウォークインクローゼットが考案されている。
【０００３】
このウォークインクローゼットは、廊下の壁面とリビングルームの壁面との間にクローゼットを配置し、このクローゼットの両壁面に出入り可能な開口を設けるとともに、この開口に引戸およびアコーディオンドアを設け、引戸とアコーディオンドアを開閉して廊下とリビングルームの両側からクローゼット内に出入り可能な構成としたものである。（例えば、特許文献１）。
【０００４】
【特許文献１】特開２００１−８７０５１号公報
【発明の開示】
【発明が解決しようとする課題】
【０００５】
前述のウォークインクローゼットにおいては、２つの居室の間に当該ウォークインクローゼットを設けることで、アクセスを容易にするものであるが、依然として外出時のコーディネートを決める際等には、当該ウォークインクローゼットから衣類等を別の居室にわざわざ持っていく必要があった。
【０００６】
この発明は上記のような種々の課題を解決することを目的としてなされたものであって、衣類等の収納物を効率的に収納することができると共に、その内部で着替えが可能な使い勝手のよいウォークインクローゼットを提供するものである。
【課題を解決するための手段】
【０００７】
上記目的を達成するために、請求項１記載のウォークインクローゼットは、衣類等を収納可能な収納棚を有し、且つ、使用者が出入り可能なウォークインクローゼットにおいて、前記使用者が衣類を着替え可能な着替えスペースと、出入口に設けられた扉の内側面に取付けられた前記使用者の全身を映写可能な鏡と、前記収納棚に設けられてその内部に複数に分割された整理スペースを有する整理引出と、前記収納棚の棚板の縁部に水平方向に設けられると共に、その使用者側が水平方向に亘って遮光された照明装置と、を具備することを特徴としている。
【０００８】
請求項２記載のウォークインクローゼットは、前記収納棚の幅方向にパイプハンガーが設けられると共に、当該収納棚の奥行きが４００乃至５００ｍｍであることを特徴としている。
【０００９】
請求項３記載のウォークインクローゼットは、前記収納棚が引出自在の載置板を具備することを特徴としている。
【００１０】
請求項４記載のウォークインクローゼットは、前記収納棚がその開口部を開閉自在な収納扉を具備すると共に、当該収納扉の外側には前記使用者の全身を映写可能な鏡が設けられることを特徴としている。
【００１１】
請求項５記載のウォークインクローゼットは、請求項１乃至４記載のウォークインクローゼット内にドレッサーが設けられたことを特徴としている。
【００１２】
請求項６記載のウォークインクローゼットは、前記収納棚が立体形状を有する衣類を収納するために所定区画に区切られた浅棚収納部を具備することを特徴としている。
【００１３】
請求項７記載のウォークインクローゼットは、請求項１乃至６記載のウォークインクローゼットにおいて、全身のコーディネートの全てを係止可能なコーディネートボードを具備することを特徴としている。
【発明の効果】
【００１４】
請求項１記載のウォークインクローゼットによれば、使用者が衣類を着替え可能な着替えスペースを具備しているので、例えば女性等は他の家族の目を気にすることなくウォークインクローゼット内で着替えをすることができるという利点がある。さらに、ウォークインクローゼット内に収納された衣類やアクセサリー等をその外部に持ち出す必要がなく当該ウォークインクローゼット内で衣類等を選択することできるとともに、その場で外出時のコーディネートに着替えることができる。また、出入口に設けられた扉の内側面に取付けられた前記使用者の全身を映写可能な鏡を具備するので、外出時のコーディネートに実際に着替えてウォークインクローゼット内で全身の当該コーディネートをチェックすることができる。
【００１５】
前記収納棚の棚板の縁部に水平方向に設けられると共に、その使用者側が水平方向に亘って遮光された照明装置を具備するので、当該照明装置の光が使用者の目に直接入ることがなく、当該使用者の目を傷めることがないと共に、色や模様等を正確に判断することができる。また、ウォークインクローゼット内の照明としても使用することができる。そして、前記収納棚に設けられてその内部に複数に分割された整理スペースを有する整理引出を具備するので、下着やアクセサリーを種類等に分類し効率的に収納することができると共に、目的の収納物が探しやすくなり身支度の時間を短縮することができる。
【００１６】
請求項２記載のウォークインクローゼットによれば、前記収納棚の幅方向にパイプハンガーが設けられると共に、当該収納棚の奥行きが４００乃至５００ｍｍである。ここでパイプハンガーが設けられた一般的な収納棚の奥行きは６００ｍｍ程度であり、女性用の衣類をこのような収納棚に収納した際には奥行き方向に余分なスペースが生じるため、結果としてウォークインクローゼット内のスペースを有効に使用することができなかった。また、一般的には女性のほうが衣類が多く収納棚が奥行きを４００乃至５００ｍｍとしておくことで、効率的に女性用の衣類を収納することができると共に、これにより確保することができたスペースをウォークインクローゼット内の着替えスペースやその他の収納スペースとすることができる。
【００１７】
請求項３記載のウォークインクローゼットによれば、前記収納棚が引出自在の載置板を具備している。これにより、載置板を必要な時にだけ引出すことで、衣類を畳む際に使用したり、また、コーディネートの際の衣類等の仮置きの場所として使用することができ、不要な時には収納しておくことで不要なスペースが生じることがない。
【００１８】
請求項４記載のウォークインクローゼットによれば、前記収納棚がその開口部を開閉自在な収納扉を具備すると共に、当該収納扉の外側には前記使用者の全身を映写可能な鏡が設けられている。これにより、考えたコーディネートに実際に着替えてウォークインクローゼット内で全身の当該コーディネートをチェックすることができる。
【００１９】
請求項５記載のウォークインクローゼットによれば、請求項１乃至４記載のウォークインクローゼット内にドレッサーが設けられているので、全身のコーディネートに加えて、化粧やヘアセットまでを行うことができるので使い勝手がよい。
【００２０】
請求項６記載のウォークインクローゼットによれば、前記収納棚が立体形状を有する衣類を収納するために所定区画に区切られた浅棚収納部を具備する。これにより、ワイシャツや、シフォン素材のリボン等の立体形状を有する衣類の型崩れを防止することができ、衣類の寿命を延ばすことができ経済的である。
【００２１】
請求項７記載のウォークインクローゼットによれば、全身のコーディネートの全てを係止可能なコーディネートボードを具備するので、例えば、次の日の朝に時間がない場合等には、その前の日の夜に当該コーディネートボードに次の日の朝のコーディネートを係止しておくことで翌日の身支度の時間を短縮することができる。さらに、コーディネートを考える際に、コーディネートボードに上着やパンツ等を係止させることで、実際に着替えることなく全身のコーディネートをチェックすることができる。
【発明を実施するための最良の形態】
【００２２】
この発明におけるウォークインクローゼットの最良の実施形態について、以下に説明する。本発明の実施形態に係るウォークインクローゼット１は、図１乃至４に示すように、衣類等を収納可能な収納棚２を有し、且つ、使用者が出入り可能となっている。そして、前記使用者が衣類を着替え可能な着替えスペース３と、出入口４に設けられた扉５の内側面５ａに取付けられた前記使用者の全身を映写可能な鏡６ａと、全身のコーディネートの全てを係止可能なコーディネートボード７と、図１、図９に示すように前記収納棚２に設けられてその内部に複数に分割された整理スペース８ａを有する整理引出８と、前記収納棚２の棚板９の縁部９ａに水平方向に設けられると共に、その使用者側が水平方向に亘って遮光された照明装置１０と、を具備するものである。
【００２３】
前記収納棚２は、図１、図４に示すように、出入口４から向かって相対向して両側面の壁体１１ａ、１１ｂの壁際に設けられた収納棚２ａ、２ｂ、及び、奥側の壁体１１ｃの壁際に設けられた収納棚２ｃが、それぞれの壁体１１に当接するように設けられている。前述のように両側面の壁体１１ａ、１１ｂ際に設けられた収納棚２ａ、２ｂの間には通路１２が形成されており、当該通路１２を通ってウォークインクローゼット１の内部にまで使用者が行き来することができる。これらの収納棚２には、衣類の他にもアクセサリー等の種々の収納物を収納することができる。そして、ウォークインクローゼット１内において、図４に示すように、壁体１１ａ、１１ｃ、収納棚２ａ、２ｃで囲まれた空間Ｕ、及び、壁体１１ｂ、１１ｃ、収納棚２ｂ、２ｃで囲まれた空間Ｕには収納棚２の隙間Ｖからゴルフクラブや、スノーボード等の長尺な収納物を収納することができる。また、これらの収納棚２の配置は一例であり、本実施形態の配置に限定されるものではない。本実施形態においては、図４に示すように、出入口４を一箇所のみに設けたが、これに限定されず当該出入口４を複数設けてもよい。
【００２４】
前記着替えスペース３は、図１、図４に示すように、出入口４付近に形成されており、ウォークインクローゼット１内の使用者が収納棚２から取出した衣類に着替えるためのスペースである。この着替えスペース３としては、前記通路１２を、当該着替えスペース３としてもよく、また、ウォークインクローゼット１内の収納棚２等の配置によってその場所を変更することができる。
【００２５】
ウォークインクローゼット１には、図３、図４に示すように、その出入口４には扉５が設けられており埃等の進入を防いだり、着替えスペース３での着替えの際にプライバシーを守るために設けられている。そして、扉５は、本実施形態においては引戸としているが、これに限定されず開き戸であってもよく、さらにはアコーディオンカーテン等を適宜選択して使用することができる。そして、前記鏡６ａは、前述のように、出入口４に設けられた扉５のウォークインクローゼット１側面に設けられており、そのサイズは使用者の全身を映写可能な程度の大きさとするのが好ましく、これにより、使用者が全身のコーディネートを当該鏡６ａによりチェックすることができる。
【００２６】
前記コーディネートボード７は、図３、図４に示すように、ウォークインクローゼット１の出入口４側の壁体１１ｄに設けられており、図５に示すように、衣類Ａ１、鞄Ａ２、アクセサリーＡ３を始め、その他にも帽子等の全身のコーディネートの全てを係止することができるようになっている。このコーディネートボード７は、図６に示すように、断面が凸形状の長尺に形成された板部材１３を高さ方向に所定間隔開けて壁体１１ｄにネジ等により取付けたものである。この際には、板部材１３は幅が狭い側が壁体１１ｄと当接するように当該壁体１１ｄに取付けられる。そして、衣類等をコーディネートボード７に係止する際には、当該コーディネートボード７にフック等の係止部材１４を取付ける必要がある。この係止部材１４は、図６に示すように、高さ方向に相隣接する板部材１３の隙間１５ａから取付けられる。
【００２７】
すなわち、図６（ａ）に示すように、係止部材１４の取付部１４ａは段状に形成された段部１４ｂが設けられており、高さ方向に相隣接する板部材１３の隙間１５ａから当該取付部１４ａを挿入し、その先端の平面部１４ｃを、上側に取付けられた板部材１３ａにおける下側の突出部１３１ａと壁体１１ｄとの隙間１５ｂに挿入すると共に、段部１４ｂにおける載置面１４ｄを、下側に取付けられた板部材１３ｂにおける上側の突出部１３１ｂに載置するように、当該係止部材１４をコーディネートボード７に取付ける。そして、平面部１４ｃが壁体１１ｄに当接すると共に、ハンガー等が係止される係止部１４１が取付けられる板状の基部１４ｅが板部材１３に当接する。これにより、係止部１４１に荷重が作用した際にも、載置面１４ｄが突出部１３１ｂに載置され、且つ、平面部１４ｃが突出部１３１ａに係止されるので係止部材１４が、コーディネートボード７から容易に外れることがない。
【００２８】
その他にも、図６（ｂ）に示すように、係止部材１４の取付部１４ａが鉤状に形成されていてもよい。これにより、高さ方向に相隣接する板部材１３の隙間１５ａからに鉤状に形成された取付部１４ａを挿入して下側に取付けられた板部材１３ｂの上側の突出部１３１ｂに引掛ける。これにより、係止部１４１に荷重が作用した際にも、係止部材１４が、コーディネートボード７から容易に外れることがない。また、係止部材１４のコーディネートボード７への取付け方法は前述のものに限定されず、例えば板部材１３が木質材料から形成されている場合には、当該係止部材１４をピン等で取付けてもよく、適宜周知の方法を選択することができる。そして、係止部１４１の形状は、本実施形態のように図５、図６に示すように引掛片Ｗを有する円形のものに限定されず、フック状等であってもよい。また、コーディネートボード７には、図３に示すように、前述のような係止部１４ａを利用して、棚１６等を設けることもできる。
【００２９】
前記整理引出８は、図９に示すように、その内部の収納スペースＳが仕切り１７によって、複数の整理スペース８ａに分割されたものであり、当該整理引出８は、例えば図１に示す収納棚２ａに設けることができる。これにより、下着やアクセサリー等を分類して収納することがでると共に、所望の収納物の取出しが容易である。また、収納スペースＳの仕切り方は、本実施形態のものに限定されず、また、整理引出８が設けられる場所も適宜変更することができる。
【００３０】
前記照明装置１０は、図１、図７に示すように、収納棚２の棚板９の縁部９ａに水平方向に設けられると共に、その使用者側が水平方向に亘って遮光されている。具体的には、この照明装置１０は、図７に示すように、収納棚２の棚板９の縁部９ａにおいて、当該棚板９の上面９ｂ、及び下面９ｃから通路１２側に張り出して、当該棚板９の幅方向に、合成樹脂から形成されて成る乳白色の透光性の透光部材１８が設けられている。そして、棚板９の上面９ｂ、及び下面９ｃに取付けられた透光部材１８の先端部分を架設するように断面略コ字状に形成されて成る遮光性の遮光部材１９が当該透光部材１８の幅方向に亘って設けられている。
【００３１】
また、棚板９の端面９ｄ、上下２枚の透光部材１８、及び遮光部材１９によって囲まれた空間内部Ｔには棚板９の幅方向に蛍光灯２０が設けられている。そして、遮光部材１９の内側には、図７（ａ）に示すように、曲面状の反射板２１が設けられており、前記蛍光灯２０から発せられる光を効率的に透光部材１８から放射することができるようになっている。しかし、前述のように別途反射板２１を設けずに、図７（ｂ）に示すように、遮光部材１９の内側面に鏡面処理を施すなどして反射部１９ａを形成してもよい。以上のような照明装置１０を使用することにより、ウォークインクローゼット１内の使用者が衣類等の色や模様を正確に把握することができ、また、当該ウォークインクローゼット内を照らすことができる。
【００３２】
前記収納棚２ａには、図１、図８に示すように、当該収納棚２の幅方向であって、相対向する一方側面２２ａから他方側面２２ｂに亘ってパイプハンガー２３が設けられている。そして、この収納棚２ａの奥行きは４００乃至５００ｍｍ程度に、より好ましくは４７０ｍｍ程度に形成されている。ここでパイプハンガー２３が設けられた一般的な収納棚の奥行きは６００ｍｍ程度であり、女性用の衣類をこのような収納棚に収納した際には奥行き方向に余分なスペースが生じる。しかし、上述のように、パイプハンガー２３が設けられた収納棚２ａの奥行きを４７０ｍｍ程度として、女性用の衣類専用とすることで余分なスペースを削減することができる。
【００３３】
また、収納棚２ａには、図１、図１０に示すように、引出自在の載置板２４が設けられている。この載置板２４は収納棚２ａの一部に周知のスライドレール（不図示）を設けることにより、薄板状に形成された載置板２４を当該収納棚２ａから引出自在としてる。そのため、必要な時に載置板２４を引出して、その上で衣類を畳む等の作業を行うことができる。尚、載置板２４が設けられる場所は本実施形態の場所に限定されるものではない。
【００３４】
また、収納棚２ｃには、図１、図２、図４に示すように、その開口部２５を開閉自在な収納扉２６を具備している。本実施形態では、この収納扉２６は両開き扉となっているが、片開き扉であってもよく、その他の扉であってもよい。そして、収納扉２６の外側面２６ａには使用者の全身を映写可能な鏡６ｂが設けられている。このように、出入口４に設けられた扉５や、収納扉２６に鏡６ａ、６ｂが設けられることによって、使用者にウォークインクローゼット１内の空間をより広く感じさせることができる。尚、本実施形態においては、図２に示すように、収納棚２ｃにのみ収納扉２６を設けたが、その他の収納棚２にも当該収納扉２６を設けてもよい。
【００３５】
さらに、収納棚２ｃには、図１、図１１に示すように、立体形状を有する衣類を収納するために所定区画に区切られた浅棚収納部２７が設けられている。ここで立体形状を有する衣類とは、図１１に示すワイシャツ２８等のように畳んだ際に襟部分２８ａが厚みを有するものや、シフォン素材等により形成されて成るリボン等を有する型崩れし易い衣類である。この浅棚収納部２７は、例えば高さ方向に５０乃至１００ｍｍ程度を高さを有しており各浅棚収納部２７には、それぞれ１枚ずつの衣類を好適に収納することができるようになっている。そして、この浅棚収納部２７引出自在に形成されていてもよく、また、当該浅棚収納部２７が設けられる場所は本実施形態の場所に限定されるものではない。
【００３６】
また、ウォークインクローゼット１内には、図１に示すように、ドレッサー２９が設けられている。このドレッサー２９としては、大型の鏡６ｃや、ヘアスタイリング剤等を収納可能な収納部２９ａを有する周知のドレッサー２９を使用することができる。尚、ドレッサーの鏡６ｃは、三面鏡であってもよいのは勿論である。これにより、全身のコーディネートから化粧、ヘアセットに至るまでをウォークインクローゼット１内で全て行うことができる。
【００３７】
以上のような、ウォークインクローゼット１は一例であり、図４に示すように、この中に設けられる収納棚２を始めドレッサー２９等の配置や、数等は使用者の必要に応じて適宜変更することができる。そして、このウォークインクローゼット１内には、図１等に示されるものに限定されず周知の収納用ラック等の他の収納具や、照明、空調装置等を適宜配置することもできる。
【産業上の利用可能性】
【００３８】
本発明に係るウォークインクローゼット１は、住宅建設時に予め設けておくことができる他、住宅建設後にリフォーム等により当該ウォークインクローゼット１を設けることもできる。
【図面の簡単な説明】
【００３９】
【図１】本実施形態に係る出入口から見たウォークインクローゼット内の外観図
【図２】収納棚の収納扉を閉めた状態におけるウォークインクローゼット内の外観図
【図３】本実施形態に係るウォークインクローゼットの出入口付近の外観図
【図４】本実施形態に係るウォークインクローゼットの上視図
【図５】本実施形態に係るコーディネートボードの正面図
【図６】本実施形態に係るコーディネートボードに取付けられる係止部材の取付け状態を示す図
【図７】本実施形態に係る照明装置の側断面図
【図８】本実施形態に係るポールハンガーの概略図
【図９】本実施形態に係る整理引出しの全体斜視図
【図１０】本実施形態に係る載置板の全体斜視図
【図１１】本実施形態に係る浅棚収納部の全体斜視図
【符号の説明】
【００４０】
１        ウォークインクローゼット
２（２ａ〜２ｃ）  収納棚
３        着替えスペース
４        出入口
５        扉
５ａ      内側面
６（６ａ〜６ｃ）  鏡
７        コーディネートボード
８        整理引出
８ａ      整理スペース
９        棚板
９ａ      縁部
１０      照明装置
２３      ハンガーパイイプ
２４      載置板
２５      開口部
２６      収納扉
２６ａ    外側面
２７      浅棚収納部
２９      ドレッサー
【図１】
2010112119.tif 000003
【図２】
2010112119.tif 000004
【図３】
2010112119.tif 000005
【図４】
2010112119.tif 000006
【図５】
2010112119.tif 000007
【図６】
2010112119.tif 000008
【図７】
2010112119.tif 000009
【図８】
2010112119.tif 000010
【図９】
2010112119.tif 000011
【図１０】
2010112119.tif 000012
【図１１】
2010112119.tif 000013